(57)【要約】      （修正有）【課題】浮き桟橋等の浮体の乾舷を簡便、且つ正確に計測できる乾舷計測装置を提供する。【解決手段】浮体１の側面に沿って上下に向けて固定され、下端が水中に挿入される計測用筒体４と、計測用筒体４内に上下動自在に挿入された反射用浮部材５と、計測用筒体４の上端部に浮体１上面と同じ高さで固定されたレーザー式距離計６とを備え、計測用筒体４内で水面に浮いた反射用浮部材５との距離Ｄをレーザー式距離計６で計測し、乾舷Ｈを計測するようにした乾舷計測装置３である。【選択図】図２
0003200347.tif 000002
【実用新案登録請求の範囲】
【請求項１】
水上に浮かべた浮体の乾舷を計測する乾舷計測装置において、
前記浮体の側面に沿って上下に向けて固定され、下端が水中に挿入される計測用筒体と、該計測用筒体内に上下動自在に挿入された反射用浮部材と、前記計測用筒体の上端部に固定されたレーザー式距離計とを備え、
前記計測用筒体内で水面に浮いた前記反射用浮部材との距離を前記レーザー式距離計で計測するようにしたことを特徴とする乾舷計測装置。
【請求項２】
前記レーザー式距離計から出力された計測データを逐次記録する記録手段を備えた請求項１に記載の乾舷計測装置。
【請求項３】
前記浮体は、その幅方向に比べ長手方向が十分に長い形状である請求項１又は２に記載の乾舷計測装置。
【考案の詳細な説明】
【技術分野】
【０００１】
本考案は、浮き桟橋等に使用される浮体の乾舷を計測するための乾舷計測装置に関する。
【背景技術】
【０００２】
浮き桟橋等のように水上に浮かべた浮体では、当該浮体間又は浮体と岸辺との間に渡橋を架け渡す際のレベル合わせ等のように、その浮体の乾舷、即ち、水上に浮き出た部分の高さを管理する必要が生じる場合がある。
【０００３】
その場合、従来では、浮き桟橋等の浮体の側面に沿ってスタッフやコンベックス等の目盛付きの計測具を宛がい、その目盛を浮体に横づけした船舶等から作業員が目視によって読み取ることにより乾舷又は喫水を計測していた（例えば、特許文献１を参照）。
【０００４】
また、船舶や浮体の高さ管理においては、喫水に基づいて管理することも多く、喫水を計測する装置が多種開発されており、乾舷についても喫水に基づいて算出する場合があった。
【先行技術文献】
【特許文献】
【０００５】
【特許文献１】実開昭６２−１３２４１８号公報
【考案の概要】
【考案が解決しようとする課題】
【０００６】
しかしながら、上述の如き従来の技術では、作業員が浮体側面に宛がった目盛を目視で読み取る場合、水面が常時変動するため、正確な値を読み取ることが困難であり、また、逐次変化する値を正確に記録することも困難であるという問題があった。
【０００７】
また、上述の如き喫水を計測する装置を使用する場合には、乾舷に比べ喫水が浅いと、その計測値に誤差が生じ易く、高精度の装置を使用する必要性が生じ、費用が嵩むという問題があった。
【０００８】
そこで、本考案は、このような従来の問題に鑑み、浮き桟橋等の浮体の乾舷を簡便、且つ正確に計測できる乾舷計測装置の提供を目的としてなされたものである。
【課題を解決するための手段】
【０００９】
本考案に係る請求項1に記載の考案の特徴は、水上に浮かべた浮体の乾舷を計測する乾舷計測装置において、前記浮体の側面に沿って上下に向けて固定され、下端が水中に挿入される計測用筒体と、該計測用筒体内に上下動自在に挿入された反射用浮部材と、前記計測用筒体の上端部に固定されたレーザー式距離計とを備え、前記計測用筒体内で水面に浮いた前記反射用浮部材との距離を前記レーザー式距離計で計測するようにした乾舷計測装置にある。
【００１０】
請求項２に記載の考案の特徴は、請求項１の構成に加え、前記レーザー式距離計から出力された計測データを逐次記録する記録手段を備えたことにある。
【００１１】
請求項３に記載の考案の特徴は、請求項１又は２の構成に加え、前記浮体は、その幅方向に比べ長手方向が十分に長い形状であることにある。
【考案の効果】
【００１２】
本考案に係る乾舷計測装置においては、水上に浮かべた浮体の乾舷を計測する乾舷計測装置において、前記浮体の側面に沿って上下に向けて固定され、下端が水中に挿入される計測用筒体と、該計測用筒体内に上下動自在に挿入された反射用浮部材と、前記計測用筒体の上端部に固定されたレーザー式距離計とを備え、前記計測用筒体内で水面に浮いた前記反射用浮部材との距離を前記レーザー式距離計で計測するようにしたことにより、水面の変動の影響を受け難く、レーザー式距離計によって機械的に計測されるので、浮き桟橋等の浮体の乾舷を簡便、且つ正確に計測することができる。
【００１３】
また、本考案において、前記レーザー式距離計から出力された計測データを逐次記録する記録手段を備えたことにより、蓄積された複数の計測データの平均値を基に正確な乾舷を得ることができる。
【００１４】
更に、本考案において、前記浮体は、その幅方向に比べ長手方向が十分に長い形状であることにより、浮体の傾きによる影響が生じ難く、正確な乾舷を計測することができる。
【図面の簡単な説明】
【００１５】
【図１】本考案に係る乾舷計測装置の使用態様を示す概略側面図である。
【図２】図１中の乾舷計測装置を示す断面図である。
【考案を実施するための形態】
【００１６】
次に、本考案に係る乾舷計測装置の実施形態を図１、図２に示した実施例に基づいて説明する。尚、図中符号１は浮き桟橋等の浮体、符号２は水面、符号３は浮体１の乾舷Ｈを計測する乾舷計測装置である。
【００１７】
本実施例では、浮き桟橋を浮体１とする例について説明し、浮き桟橋を構成する浮体１は、幅方向に比べて長手方向が十分に長い形状であって、喫水に比べ乾舷Ｈが大きくなっており、その側面部に長手方向に間隔を置いて複数の乾舷計測装置３，３が設置されている。
【００１８】
尚、乾舷とは、喫水線から浮体１の上面までの舷側及びその高さをいい、本実施例においては、水面２から浮体１の上面までの浮体１の水上に浮き出た部分の高さＨをいう。
【００１９】
乾舷計測装置３は、図２に示すように、浮体１の側面に沿って上下に向けて固定された計測用筒体４と、計測用筒体４内に上下動自在に挿入された反射用浮部材５と、計測用筒体４の上端部に固定されたレーザー式距離計６とを備えている。
【００２０】
計測用筒体４は、浮体１の高さとほぼ同じ長さの上下端が開口した管状に形成され、その上端部が取付用部材７を介して浮体１の上面部に取付けられ、浮体１の側面に沿って上下に向けて固定されるとともに、その下端が水中に挿入されている。
【００２１】
この計測用筒体４は、複数の塩化ビニル管からなる短管部材８，８...によって構成され、各短管部材８，８...が継手８ａを介して連結されている。
【００２２】
また、最下端に接続される短管部材８には、特に図示しないが、例えば、下端開口部に内向きに張り出した抜け出し防止用フランジ等からなる抜け出し防止手段を備え、計測用筒体４の内部に挿入された反射用浮部材５が下端開口より抜け出ないようにしておくことが好ましい。
【００２３】
また、最上端に配置される短管部材８には、上端部に外向きに張り出したフランジ状の支持用張り出し部８ｃが一体に形成されている。
【００２４】
取付用部材７は、鋼板等をもって矩形平板状に形成され、その長手方向の一端側が浮体１の側面から外向きに突出するように他端側が浮体１の上面部に固定されている。尚、取付用部材７の浮体１に対する固定手段は、特に限定されないが、溶接、ボルト締め等によって強固に固定されている。
【００２５】
また、この取付用部材７には、その長手方向の浮体１の側面より突出する側の端部に計測用筒体４の上端部が嵌合される挿通孔７ａが板厚方向に貫通し、最上端に配置される短管部材８をこの挿通孔７ａに嵌合させるとともに、支持用張り出し部８ｃの下面を挿通孔７ａの縁部に支持させることにより、上下に向けた計測用筒体４が浮体１の側面に沿って固定されるようになっている。
【００２６】
反射用浮部材５は、上端に平坦な反射面５ａを有する円柱状に形成され、その外径が計測用筒体４の内径よりもやや小さく、計測用筒体４内側面に案内されつつ計測用筒体４内を自在に上下動できるようになっている。尚、反射面５ａは、レーザー光の反射に適した素材により構成されている。
【００２７】
この反射用浮部材５は、例えば、内部に空気が充填された中空状に形成され、水面２より一定の高さｈ１分だけ突出した状態で水面２に浮くようになっている。
【００２８】
尚、この反射用浮部材５の水面２より突出する部分の高さｈ１、即ち、水面２から反射面５ａまでの高さｈ１は、実際に反射用浮部材５を水上に浮かべ、予め測定し、レーザー式距離計６又は後述するコンピュータ機器に入力しておく。
【００２９】
レーザー式距離計６は、レーザー光９ａを発信するレーザダイオード等からなる発信部と、発信部と同軸状に配置されたフォトダイオード等からなる受信部とを備え、レーザー光９ａの発射に伴う発射信号と、受信部による反射光９ｂを受信した際の受信信号との時間間隔を計測し、その時間間隔に基づきレーザー式距離計６と反射用浮き部材５との距離Ｄを算出できるようになっている。
【００３０】
また、このレーザー式距離計６は、計測したデータを有線又は無線によって、コンピュータ機器１０等に所定の間隔で逐次送信でき、送信されたデータは、コンピュータ機器１０等に内蔵された記録手段に逐次記録されるようになっている。
【００３１】
このレーザー式距離計６は、取付治具１１を介して計測用筒体４の上端に発信部のレーザー照射方向を計測用筒体４の中心軸に合わせて固定され、計測用筒体４内で水上に浮かぶ反射用浮部材５の反射面５ａに反射した反射光９ｂを受信できるようになっている。
【００３２】
取付治具１１は、計測用筒体４の上端面上に固定される固定用板１２と、固定用板１２の中央部に一体に突設させた固定用板１２を底面とする箱状のホルダ部１３とを備え、レーザー式距離計６をホルダ部１３に発信部を下向きにした状態に嵌め込むことにより保持するようになっている。
【００３３】
ホルダ部１３には、底面を成す固定用板１２の中央部に開口部を備え、この開口部を通して発信部からレーザー光９ａを発信できるとともに、反射光９ｂを受信部で受信できるようになっている。
【００３４】
尚、レーザー式距離計６の計測基準位置と浮体１の上面とは、同一面上に位置することが好ましいが、本実施例のように、固定用板１２が浮体１の上面に対し高さ方向に距離ｈ２を置いて設置される場合には、その距離ｈ２を予め計測し、レーザー式距離計６又はコンピュータ機器１０に入力しておく。
【００３５】
このように構成された乾舷計測装置３では、レーザー式距離計６によって計測用筒体４内で水上に浮いた反射用浮部材５の反射面５ａまでの距離Ｄを計測することにより、当該距離Ｄに基づいて浮体１の乾舷Ｈを自動的に計測することができる。
【００３６】
その際、反射用浮部材５は、浮体１の側面部に固定された計測用筒体４に囲まれているので、波や潮流の影響を受け難く、また、指向性を有するレーザー式距離計６と反射用浮部材５とを結ぶ軸にずれが生じ難いことから、簡素な構造で正確な乾舷Ｈを計測することができる。
【００３７】
尚、本実施例では、浮体１がその幅方向に比べ長手方向が十分に長い形状であるので、浮体１の傾斜による影響が生じ難く、正確な乾舷Ｈを計測することができる。
【００３８】
また、この乾舷計測装置３では、レーザー式距離計６から出力された計測データを逐次記録する記録手段をコンピュータ機器１０等に備えているので、一定時間毎に複数の測定データを蓄積することができ、その平均値を算出することによって、その平均値を基により正確な乾舷Ｈを求めることができる。
【００３９】
尚、本実施例では、浮き桟橋を例について説明したが、浮体１はこれに限定されず、例えば、台船、船舶等の水上を移動するものやフロート等であってもよい。
【００４０】
尚、上述の実施例では、反射用浮部材５を中空状に形成した例について説明したが、材質等によって水面２に浮かぶようにしてもよい。
【００４１】
更に、上述の実施例では、計測用筒体４を複数の短管部材８，８...をもって構成した例について説明したが、計測用筒体４は、1本の管材をもって構成してもよい。
【００４２】
更にまた、上述の実施例では、計測用筒体４（短管部材８，８...）を塩化ビニル管によって構成した例について説明したが、計測用筒体４の材質は、これに限定されず、例えば、金属製の管材や透明なアクリル管を用いてもよい。
【００４３】
また、計測用筒体４を浮体１に固定する手段は、上述の取付用部材７を用いて計測用筒体４の上端部を浮体１上面に固定する態様に限定されず、計測用筒体４を浮体１の側面に固定部材を介して固定するようにしてもよい。
【００４４】
また、本考案に係る乾舷計測装置３は、浮体１に対し着脱できるようにしてもよく、それによって、異なる浮体間の載せ換えや目的に応じた装置の着脱を簡便に行うことができる。
【符号の説明】
【００４５】
Ｈ  乾舷
Ｄ  距離
１  浮体
２  水面
３  乾舷計測装置
４  計測用筒体
５  反射用浮部材
６  レーザー式距離計
７  取付用部材
８  短管部材
９ａ  レーザー光
９ｂ  反射光
１０  コンピュータ機器
１１  取付治具
１２  固定用板
１３  ホルダ部
【図１】
0003200347.tif 000003
【図２】
0003200347.tif 000004